Podtech/llm-jp-corpus-v4-ja_patent huggingface dataset:
(57)【要約】  【課題】ヒラミレモンの絞り粕を泡盛やもろみ酢に漬けて、ヒラミレモンの成分を含有させる。  【解決手段】ヒラミレモンをジュースとして搾汁した後の絞り粕を泡盛又はもろみ酢に漬けて、ヒラミレモンの成分を泡盛又はもろみ酢に抽出して、ヒラミレモンの香りや栄養価などを泡盛又はもろみ酢に追加して効能を向上させ、需要を喚起する。【選択図】図１
2019088214.tif 000002
【特許請求の範囲】
【請求項１】
ヒラミレモンを搾汁した後の絞り粕を泡盛又はもろみ酢に漬けて、ヒラミレモンの成分を泡盛又はもろみ酢に抽出することを特徴とする泡盛の製法である。
【請求項２】
ヒラミレモンを搾汁した後の絞り粕を泡盛又はもろみ酢に漬けて、ヒラミレモンの成分を泡盛又はもろみ酢に抽出して成る泡盛又はもろみ酢。
【発明の詳細な説明】
【技術分野】
【０００１】
本発明は、ヒラミレモンの絞り粕を泡盛やもろみ酢に漬けて、ヒラミレモンの成分を含有させてヒラミレモンの香りや味を楽しめるヒラミレモン入りの泡盛又はもろみ酢に関する。
【背景技術】
【０００２】
琉球泡盛は、蒸した米と黒麹菌で造った米麹に水と酵母菌を加えて醗酵させ、出来上がったもろみを単式蒸溜器で蒸溜して泡盛を得る。そして、45度以下に割り水して製品にする。泡盛を製造した後のもろみを搾汁して黒糖などで味付けしたのが、もろみ酢として販売されている。
前記の方法で製造した泡盛は、そのまま酒として販売されているが、糖分が無いので健康的であるが、甘味や香りが無いのが欠点で、普及を妨げている。もろみ酢は、「酢」という名前であるにも係わらず、酢の味がしないので、健康に良いと言われている酢が入っていないとして、消費が伸び悩んでいる。
【先行技術文献】
【特許文献】
【０００３】
【特許文献１】特開2005-278590
【発明の概要】
【発明が解決しようとする課題】
【０００４】
しかしながら、ヒラミレモンをジュースとして搾汁した後の絞り粕を粉末化して用いる技術は特許文献１で知られているが、ヒラミレモンの成分を泡盛やもろみ酢に加えて、泡盛やもろみ酢の香りや効能を向上させ、消費拡大につなげることができる。
本発明の技術的課題は、このような問題に着目し、ヒラミレモンの絞り粕を泡盛やもろみ酢に漬けて、ヒラミレモンの成分を泡盛やもろみ酢に加えて、泡盛やもろみ酢の効能を向上させて需要を旺盛にすることにある。
【課題を解決するための手段】
【０００５】
本発明の技術的課題は次のような手段によって解決される。請求項１は、ヒラミレモンをジュースとして搾汁した後の絞り粕を泡盛又はもろみ酢に漬けて、ヒラミレモンの成分を泡盛又はもろみ酢に抽出する製法である。
【０００６】
請求項２は、ヒラミレモンをジュースとして搾汁した後の絞り粕を泡盛又はもろみ酢に漬けて、ヒラミレモンの成分を泡盛又はもろみ酢に抽出して成る泡盛又はもろみ酢である。
【発明の効果】
【０００７】
請求項１のように、ヒラミレモンをジュースとして搾汁した後の絞り粕を泡盛又はもろみ酢に漬けて、ヒラミレモンの成分を泡盛又はもろみ酢に抽出して、泡盛又はもろみ酢の香りや栄養価などの効能を向上させ、需要を喚起できる。
【０００８】
請求項２のように、ヒラミレモンをジュースとして搾汁した後の絞り粕を泡盛又はもろみ酢に漬けて、ヒラミレモンの成分を泡盛又はもろみ酢に抽出して成る泡盛又はもろみ酢は、ヒラミレモンの香りがするので、またヒラミレモンの栄養価が加わるので、商品価値が高まり、需要を喚起できる。
【図面の簡単な説明】
【０００９】
【図１】ヒラミレモン入りの泡盛の製法を示すフローチャートである。
【図２】ヒラミレモン入りのもろみ酢の製法を示すフローチャートである。
【発明を実施するための形態】
【００１０】
次に本発明によるヒラミレモン入りの泡盛又はもろみ酢の製法が実際上どのように具体化されるか実施形態で説明する。図１は、ヒラミレモン入りの泡盛の製法を示すフローチャートである。先ず行程Ｓ１でヒラミレモンの絞り粕を用意する。例えば遠心分離機などにヒラミレモンの果実を入れて遠心力で絞ってジュースを取り出し、残った絞り粕を泡盛に漬け込むが、絞り粕の状態だと、種子が分離し易いので、金網などに入れて振動を与え、分離した種子を取り出す。すると、行程Ｓ２のように、硬くて苦い種子の無い絞り粕となる。
そして、行程Ｓ３において、泡盛に入れて漬ける。漬ける時間は短時間で足りるが特に限定はしない。次に、行程Ｓ４で例えば遠心分離機などにヒラミレモン粕入りの泡盛を網中に入れて、遠心力で泡盛を取り出して、Ｓ５のように、ヒラミレモン入りの泡盛製品を得る。
このヒラミレモン入りの泡盛は、ヒラミレモンの香りがするので、またヒラミレモン特有の優れた栄養価が加わることで健康維持にも有効となり、消費拡大に寄与できる。
【００１１】
図２はヒラミレモン入りのもろみ酢の製法を示すフローチャートで、先ず行程Ｓ１でヒラミレモンの絞り粕を用意する。前記と同様にヒラミレモンの果実を遠心力で絞ってジュースを取り出し、残った絞り粕を原料とする。この絞り粕の状態で行程Ｓ２で種子を取り出して廃棄する。そして、種子を取り除いた絞り粕を行程Ｓ６でもろみ酢に漬け込んでヒラミレモンの成分を抽出する。漬ける時間は短時間で足りるが特に限定はしない。最後に行程Ｓ７で、例えば遠心分離機の濾し網中に入れて、遠心力でもろみ酢を濾過して、Ｓ８のように、ヒラミレモン入りのもろみ酢製品を得る。
【００１２】
このヒラミレモン入りのもろみ酢は、ヒラミレモンの酸っぱさが加わるので、酢であり、またヒラミレモン特有の優れた栄養価が加わることで健康維持にも有効となる。
ヒラミレモン入りの泡盛ももろみ酢も、ヒラミレモンのジュースなどを絞った後の絞り粕を用いるので、極めて安価で製造できる。
【産業上の利用可能性】
【００１３】
以上のように、ヒラミレモンの絞り粕を泡盛又はもろみ酢に漬け込んだ後に濾過して泡盛又はもろみ酢だけを取り出すので、極めて容易にかつ安価に製造できる。しかも、ヒラミレモンの香りや健康維持にも有効な効能が期待できる。
【符号の説明】
【００１４】
Ｓ１  ヒラミレモンの絞り粕
Ｓ４  ヒラミレモン入りの泡盛製品
Ｓ８  ヒラミレモン入りのもろみ酢製品
【図１】
2019088214.tif 000003
【図２】
2019088214.tif 000004
(57)【要約】【課題】  漬物の漬かり具合が外気温度に左右され管理が難かしく、又定期的に糠床かき混ぜ作業が欠せなかったものを、使いやすくする為に恒温の家庭用冷蔵庫に収納可能に小型化し、更に糠床かき混ぜ作業不要な糠床反転漬物容器を提供する。【解決手段】  脱水受け容器（２）の中に入れ子型のＵ字型の糠床反転漬物容器（３）を入れ、通常の漬け込み状態で糠床押し込み板（５）を下に押し込むと、糠床反転漬物容器（３）底部で糠床（８）と野菜（７）が一緒に反転して、取り出し側（１１）上部に競り上り、糠床（８）をほぐし空気と混ぜながら野菜（７）を取り出し、漬け込み側（１０）の新野菜に被せ、糠床（８）を常に循環させる糠床反転漬物容器（３）特徴とする。【選択図】図１
2019088265.tif 000002
【特許請求の範囲】
【請求項１】
蓋付脱水受け容器とその内部に入れ子型のＵ字型の糠床容器を収納した糠床反転漬物容器であって、Ｕ字型の片方は漬け込み側、他方は取り出し側で仕切り板により一部仕切られており、糠床容器内部には糠が充填されており、漬け込み側から糠と野菜を投入し、把手付糠床押込板で押し込み、取り出し側に競り出した糠と野菜を取り出し、糠床を循環使用出来ることを特徴とする糠床反転漬物容器。
【発明の詳細な説明】
【技術分野】
【０００１】  この発明は、糠床反転漬物容器を恒温の家庭用冷蔵庫の野菜室（７〜１０℃）に収納出来るように小型化（縦１６ｃｍ、横（１６ｃｍ、奥行（３０ｃｍ位）にして、先に漬けた野菜から順番に糠床反転容器底で糠床と野菜を一緒に反転させ競り上がらせて取り出せる為、漬物の色・味の食べ頃の美味なものを食卓に簡単に提供可能とした。
【背景技術】
【０００２】  従来の糠床漬物容器は室内外にある為、糠床・漬物温度は夏期には３０℃、冬期は０℃位に変動し、漬かり具合が不安定で管理が難かしがった。
【発明の概容】
【発明が解決しようとする課題】
【０００３】これは次のような欠点があった。
（イ）糠床上部に野菜からの脱水溜り排水に、吸水布や水抜き、筒を用いて手間取ってた。
（ロ）糠床の嫌気性乳酸菌や、糠床上面の好気性白カビ活動抑制の為、定期的に糠床かき混ぜ作業は欠せないという問題点があった。
【先行技術文献】
【特許文献】
【特許文献】実用新案登録  第３２１２７２９号
【課題を解決する手段】
【０００４】  蓋（１）つき脱水受け容器（２）の中に、入れ子型のＵ字型の糠床反転漬物容器（３）を入れ、左右側面板の中央上部に仕切り板（４）を取り付け、一方の漬け込み側（１０）の中に糠床押し込板（５）を置き、他方は取り出し側（１１）とする。なお糠床上部の脱水溜りは脱水孔（６）より自然抽出し脱水受け容器（２）に一定量になれば、適宜糠床反転漬物容器（３）を取りはずして外部に排水する。
本発明は、以上の構成よりなる糠床循環使用する糠床反転漬物容器である。
【発明の効果】
【０００５】（イ）年間恒温の糠床・漬物温度が一定の為、漬かり具合が一定速度進行の為、管理が簡単で楽になる。
（ロ）漬物・野菜を取り出し、新野菜を漬け込む度に、糠床をほぐし嫌気性乳酸菌と空気を混ぜ漬け込み側に戻すのでほどよい酸ぱさとなり、好気性白カビも生え難くなり風味が増し、糠床かき混ぜ作業は不要となり、おいしい漬物が得られる。
【図面の簡単な説明】
【０００６】
【図１】糠床反転漬物容器の構成斜視図
【図２】糠床反転漬物容器詳細部分図
【図３】Ａ１−Ａ２断面図、糠床・野菜の反転様態図
【発明を実施するための形態】
【０００７】［図１］において、蓋（１）付きの透明プラスチック・脱水受け容器（２）の中に入れ子型のＵ字型の糠床反転漬物容器（３）を入れ、左右側面板の中央上部に仕切り板（４）を取り付け、一方の漬け込み側（１０）の中に、取っ手付き糠床押し込み板（５）を置き、他方は取り出し側（１１）とする。
【０００８】［図２］において、糠床押し込み板（５）は漬込み側（１０）の内法より、巾・長さは（１ｃｍ位）小さくする。又旅行等で長期不在のときは、取り出し側（１１）に白カビ防止用に糠床押し込み板（５）と同一寸法の落し蓋を用意しておくとよい。
【０００９】
2019088265.tif 000003
序で送られ、漬けることができる。
【符号の説明】
【００１０】  １  蓋
２  脱水受け容器
３  糠床反転漬物容器
４  仕切り板
５  糠床押込み板
６  脱水孔
７  野菜
８  糠床
９  脱水溜り
１０  漬け込み側
１１  取り出し側
【図１】
2019088265.tif 000004
【図２】
2019088265.tif 000005
【図３】
2019088265.tif 000006
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
蓋付き脱水受け容器とその内部に入れ子型のＵ字型の糠床容器を収納した糠床反転漬物容器であって、Ｕ字型の片方は漬け込み側、他方は取り出し側の両開口部は長方形状であり、仕切り板により一部仕切られており、糠床容器内部には糠が充填されており、押し込み板の下方に一列に脱水孔を有する漬け込み側から糠と野菜を投入し、把っ手付糠床押し込板で押し込み、取り出し側に競り出した糠と野菜を取り出し、糠床を循環使用できることを特微とする冷蔵庫用糠床反転漬物容器。
(57)【要約】【課題】一本のカーテンレールに吊られた2枚のカーテンを閉じたとき突き合わさる先端を交差させ重なりを持たせるためには交差ランナーが使われるが、使用にあたりカーテンレールのランナーの出し入れやねじによる部品の取り付けなどが必要で簡易ではなく、またカーテンを折りたたんだとき交差ランナーの腕の長さだけカーテンの端が折りたたまれない。【解決手段】本発明に記載のカーテン吊り具をカーテンレールに付属するランナーのうち2枚のカーテンが突き合わさる位置にあるものに取り付け、一方のカーテンの端を本発明のカーテン吊り具にかけることにより2枚のカーテンを閉じたときに突き合せ部に重なりを作ることができ、かつカーテンを折りたたんだときカーテンの端がカーテン吊り具に沿ってスライドし端から2番目の吊り位置との間隔を狭めて折りたたむことができる。【選択図】図１
2019088497.tif 000002
【特許請求の範囲】
【請求項１】
カーテンレールに付属するランナーに前記のカーテンレールの下に並べて取り付けることができる追加式レールで、前記のランナーに取り付ける部位から片側が棒状に突出しており、前記の突出した側にカーテンフックをかける長穴があるカーテン吊り具。
【請求項２】
カーテンレールに付属するランナーに前記のカーテンレールの下に並べて取り付けることができる追加式レールで、前記のランナーに取り付ける部位から片側が棒状に突出しており、前記の突出した側が前記のカーテンレールとは別のレールと前記の別のレールに付属しカーテンフックをかける穴があるランナーで構成されるカーテン吊り具。
【請求項３】
前記の追加式レールを取り付けたランナーに対して前記の突出した側と反対側に前記のカーテンレールに接触し前記の追加式レールの水平に対する角度を調節する部位がある請求項1または２に記載のカーテン吊り具。
【請求項４】
前記の突出した側の先端が前記のカーテンレールの下から外れている請求項１から３のいずれか１項に記載のカーテン吊り具。
【発明の詳細な説明】
【技術分野】
【０００１】
本発明は、一本のカーテンレールに吊られた２枚のカーテンを閉じたときその突き合わさる端を一部交差させて重なりを持たせてカーテンで覆われないすき間をなくし、かつカーテンを開けて折りたたんだときカーテンの交差する端も折りたたむことができるカーテン吊り具である。
【背景技術】
【０００２】
１本のカーテンレールに吊られた2枚のカーテンを閉めたときカーテンの端を交差させて重なりを作るためには、カーテンを交差させたい幅だけ腕が伸びた交差用ランナーが必要であり、使用にあたり既存のランナーの出し入れやねじによる部品の取り付けなどが必要で簡易ではない。また交差用ランナーの腕の長さは固定でありカーテンをたたんだときも腕は縮まない。
【先行技術文献】
【特許文献】
【０００３】
【特許文献１】特開平5-199932
【特許文献２】特開2003-199669
【特許文献３】特開2009-240045
【発明の概要】
【発明が解決しようとする課題】
【０００４】
解決しようとする問題点は、一本のカーテンレールに２枚のカーテンを吊って閉じた時に、カーテンの突き合わせ部分にカーテンが覆っていないすき間ができることである。またこのすき間をなくすため交差ランナーを取り付ける場合、カーテンの突き合せ部の重なりの幅は交差ランナーの腕の長さで決まるが、重なりを大きくしようとすると腕が長くなりカーテンを折りたたんだとき先端の1ピッチの折りたたみが不十分になり美観をそこなうことである。
【課題を解決するための手段】
【０００５】
本発明はカーテンレールに付属のランナーに取り付けてカーテンレールの下に並んで吊り下げることができる追加式レールで、ランナーに吊り下げられている状況から追加式レールが水平面上で振れ回ることができるので、追加式レールに吊り下げられたカーテンの端がカーテンレールの下から外れて他方のカーテンの端と交差し重なりを作ることができ、またカーテンがたたまれたとき追加式レールに沿ってカーテンの端がスライドしてカーテンの端から2番目のランナーとの距離が短縮されカーテンの端の1ピッチが十分に折りたたまれることを最大の特徴とする。
【発明の効果】
【０００６】
一本のカーテンレールに２枚のカーテンを吊るとき、２枚のカーテンが突き合わさる位置のランナーに本発明のカーテン吊り具を付けてそのカーテン吊り具にカーテンの先端を吊ることにより、２枚のカーテンの突合せ部に重なりを作ることができ、かつカーテンをたたんだときに本発明に吊られたカーテンの端を十分に折りたたむことができる。
【図面の簡単な説明】
【０００７】
【図１】溝型の機能性カーテンレールに長穴がある追加式レールを吊り下げた状態を示す斜視図。
【図２】レールとランナーからなる突出部と水平角度を調節する部位がある追加式レールの斜視図。
【図３】パイプ型カーテンレールに追加式レールを吊り下げた状態を示す斜視図。
【発明を実施するための形態】
【０００８】
図1および２は溝型の機能性カーテンレールに追加式レールを付けた場合を示す。カーテンフックを吊る側と反対に機能性カーテンレールに接触する部位があり、この部位にはカーテンレールの形状に合わせた凸部が付いていて追加式レールのカーテンフックを吊る側が垂れ下がったり追加式レールの振れ回りが不要に大きくならないように制限する機能がある。
図１では追加式レールは返しのあるピンでランナーのカーテンフックをかける輪に取り付けられており、図２では追加式レールについたフックによりランナーの輪にかけられている。
図2の追加式レールでは、さらにこの機能性カーテンレールに接触する部位が着脱できてかつ取り付け位置を上下できるので、水平に対する角度を調節することができる。この着脱できる部位は追加式レールに付いたストッパーと差込み部の返しのつめに挟まれ固定される。また図２ではカーテンフックをかける部位がレールとそのレールに付属するランナーで構成されていてカーテンフックがより円滑に移動できる。さらにこのレールが湾曲しており突出した先端がカーテンレールの芯から遠ざかる方向に偏芯しているので、カーテンレールに付属し追加式レールと対向する位置にあるランナーとより容易に交差することができる。
図３はパイプ型のカーテンレールに追加式レールを付けた場合を示す。図2について述べた着脱できてカーテンレールに接触する部位がパイプの外径より大きな弧の形になっておりカーテンフックを吊る側が垂れ下がったり追加式レールの振れ回りが不要に大きくなることを防いでいる。また図２の追加式レールと同じくカーテンフックを吊る側がレールとそのレールに付属するランナーで構成されていて、このレールが湾曲しており突出した先端がカーテンレールの芯から遠ざかる方向に偏芯している。
【符号の説明】
【０００９】
1 追加式レール
1a 追加式レール固定ピン
1b 追加式レールに付属するランナー
2 追加式レールが取付けられたランナー
3 カーテンの端を吊るカーテンフック
4 追加式レールの角度調整部品
5 カーテンレール
6 カーテンフックがかけられたランナー
7 カーテンの端から2つめのカーテンフック
【図１】
2019088497.tif 000003
【図２】
2019088497.tif 000004
【図３】
2019088497.tif 000005
(57)【要約】【課題】本発明品を履物に取り付けることで、人体に帯電した静電気を床または地面に放電する器具を提供する。設置アースの長さを自由に変更して、数種類の履物に簡単に取り付けることを可能とする。【解決手段】人体に帯電した静電気は人体と接触している本体からボールチェーンを通して床または地面に放電するようにした.。本体に特殊機構（図５、図６参照）を設けることでボールチェーンの長さを簡単、自由に変更できるようにした。【選択図】図１
2019067639.tif 000002
【特許請求の範囲】
【請求項１】
ボールチェーンを利用して、人体に帯電した静電気を床や地面に放電することを目的とし、本体から接地面までのボールチェーンの長さを簡単な操作で調整できる機構を付与した静電気除去器具。
【発明の詳細な説明】
【技術分野】
【０００１】
本発明は、人体に帯電した静電気を床または地面に放電する静電気除去器具に関するものである。
【背景技術】
【０００２】
人体の静電気は、衣類の摩擦などによって発生し、靴やスリッパなどの履物を履いていると人体に帯電してしまう。
帯電した静電気を放電するために、従来からキーホルダーに放電機能を持たせたものもあったが、使用を忘れると静電気のショックを回避できない。
人体に帯電した静電気を直接床や地面に放電するようにすれば何も気にせずに静電気のショックを回避できる。
【０００３】
公開特許にも、静電気を放電する発明も存在するが、汎用性を考慮した長さ調節機構などの不備で商品としての実用化には至っていないようである。
【先行技術文献】
【特許文献】
【０００４】
【特許文献１】特開２００７−２０７６６０
【発明の概要】
【発明が解決しようとする課題】
【０００５】
解決しようとする問題点は、人体に帯電した静電気を放電するための床や地面の接地面までの長さ調節が簡単にできない点である。
長さが調節できないと、短すぎて床や地面に接地せず放電できなかったり、必要以上に長すぎて地面の構造物に引っかかってしまうなど安全上の問題が発生する。
【課題を解決するための手段】
【０００６】
本発明は、静電気を放電するための通電材料にボールチェーンを利用し、本体に特殊な機構（指でつまんで長さ調整ができる機構）を設けることで、簡単な操作で接地面までの長さを調節できるようにした。
【発明の効果】
【０００７】
本発明品の静電気除去器具は、簡単な操作で接地面までの長さを調節できるため、汎用性が高いという利点がある。
汎用性が高いため、本発明品を数種類の履物に付け替えて使用することも可能である。
万が一、地面の構造物に引っかかった場合でも、バネの作用でボールチェーンを固定しているため、強い力で引っ張るとボールチェーンが抜ける効果があり、怪我などを未然に防ぐことができる。
【図面の簡単な説明】
【０００８】
【図１】図１は静電気除去器具の使用方法を示した説明図である。（実施例１）
【図２】図２は実施例の拡大図である。（実施例２）
【図３】図３は静電気除去器具の全体図である。（全体図１）
【図４】図４は斜め側面からの全体図である。（全体図２）
【図５】図５は長さ調節機構の拡大図である（長さ調節機構１）
【図６】図６は長さ調節方法の拡大図である。（長さ調節方法１）
【発明を実施するための形態】
【０００９】
本体ならびにボールチェーンは導電性の材料を使用する。
シンプルな構造で、曲線をデザインしアクセサリー性も実現した。
（図２参照）
【００１０】
静電気除去器具を履物にセットする前に、接地面までの長さを調節する。
長さを調節した静電気除去器具を履物にセットする。
【実施例１】
【００１１】
図１は、本発明器具の実施例であって、図２は部分拡大図である。また、
図３は静電気除去器具の全体図で、図４は斜め側面からの全体図である。図５は長さ調節機構の拡大図で、図６は実際の長さ調節方法の拡大図である。
【符号の説明】
【００１２】
１    本体（導電材料）
２    ボールチェーン（導電材料）
【図１】
2019067639.tif 000003
【図２】
2019067639.tif 000004
【図３】
2019067639.tif 000005
【図４】
2019067639.tif 000006
【図５】
2019067639.tif 000007
【図６】
2019067639.tif 000008
(57)【要約】      （修正有）【課題】道路インフラ（橋梁・トンネル・道路標識・道路照明灯・道路反射鏡等）の点検調査を効率良く行い、データベースの一元管理化を計る。【解決手段】ＧＩＳ（地理情報システム）を活用し、入力情報を選択式としたタブレット端末を用いて入力した、各種情報及び撮影した現況写真等を現場から送信し、事務所内のサーバーパソコンに、各種データを蓄積させ、瞬時にデータベースの更新を行い、各種帳票を出力する。【選択図】図１
2019067324.tif 000002
【特許請求の範囲】
【請求項１】
ＧＩＳ（地理情報システム）を活用し、入力情報を選択式としたタブレット端末を用いて入力した各種情報及び撮影した現況写真等を現場から送信することにより、事務所内のサーバーパソコンに各種データを蓄積させ、瞬時にデータベースの更新を行い、各種帳票出力を実現することが可能なシステム。
【発明の詳細な説明】
【技術分野】
【０００１】
本発明は、道路附属物（道路標識・道路照明灯・道路反射鏡等）の点検調査及び収集データの一元管理を容易にするシステムに関するものである。
【背景技術】
【０００２】
道路インフラ（橋梁・トンネル・道路標識・道路照明灯・道路反射鏡等）の老朽化が顕在化し、これによる事故の発生も多発してきた今日、平成２５年９月施行の道路法改正に伴い、５年に１回、近接目視を基本とする点検実施が義務化された。
全国の市町村の中には、この点検調査業務に従事する土木技術者が不足している自治体も多数存在している現状の中、いかに効率良く点検調査を行い、データベースの一元管理化を計ることが大きな課題となっている。
【０００３】
しかし、現状における点検調査方法は、現場において、道路附属物の損傷箇所等をデジタルカメラで撮影し、点検内容を手書きによるメモで書き残したうえ、事務所での内業において所定の様式に清書し、データ整理を行う方法しか無く、膨大な時間と労力を要しているところである。
【０００４】
現場における点検項目などの調査内容も、その業務に従事する土木技術者の経験値等により大きな差異があり、点検結果のとりまとめも画一化されていないという問題があった。
【０００５】
この改善策として、ＧＩＳ（地理情報システム）を活用し、担当土木技術者が現地においてタブレット端末を用いて入力した各種情報及び撮影した現況写真等のデータを送信することにより、事務所内のサーバーパソコンに各種データを即座に蓄積することが可能であり、データベースの更新に連携することが可能なシステムを考案したところである。  
【先行技術文献】
【特許文献】
【０００６】
【特許文献１】なし
【非特許文献】
【０００７】
【非特許文献１】なし
【発明の概要】
【発明が解決しようとする課題】
【０００８】
解決しようとする問題点は、タブレット端末により送信されサーバーパソコンに蓄積されたデータをデータベース作成に即、連携させるという点である。  
【課題を解決するための手段】
【０００９】
本発明は、サーバーパソコンに送信されたデータをデータベースのレコード追加によって蓄積させることにより、瞬時に各種帳票（道路標識台帳・道路照明灯台帳等）の出力を可能とすることを最も主要な特徴とする。
【発明の効果】
【００１０】
本発明の道路附属物情報収集管理支援システムは、現場点検作業の効率化及び画一化と事務所における内業の省力化を実現することが可能であり、土木技術職員の少ない自治体における道路インフラの直営点検を速やかに実施することが出来るという利点がある。
【図面の簡単な説明】
【００１１】
【図１】図１は道路附属物情報収集管理支援システムにおいて、現場におけるタブレット端末から、事務所のサーバーパソコンへのデータ送信を示した説明図である。（実施例１）
【図２】図２は道路附属物情報収集管理支援システムにおいて、現場において収集した各種データをタブレット端末への入力方法を示した説明図である。（実施例２）
【図３】図３は道路附属物情報収集管理支援システムにおいて、現場において収集した各種データをタブレット端末への入力方法を示した説明図である。（実施例２）
【発明を実施するための形態】
【００１２】
タブレット端末に入力する点検に必要な項目を明確化し、また、サーバーパソコンへ送信したデータの集積方法を確立することにより、多様な帳票出力を行う目的を実現した。
【実施例１】
【００１３】
図１は、道路附属物情報収集管理支援システムの実施例の概念図であり、現場からのデータ送信によって瞬時に帳票が可能となることを示している。１についての詳細を図２及び図３に表記している。
【実施例２】
【００１４】
図２及び図３は、タブレット端末の実施例を示しているが、タブレット端末のＧＰＳ機能を活用し、３の写真撮影位置での緯度、経度を取得し、データ送信した後に国土地理院地図などにおいて、道路附属物の位置を正確に落とし込むことが可能となることから、現場に位置を書き留めるための地図を持って出る必要がなくなる。
また、データベースの検索機能に不具合が生じないように、４・５・６・７・８は規定項目の選択式としている。
例えば、４の標識種別は、（案内標識・警戒標識・規制標識・補助標識）の選択式とし、他の５・６・７・８も同様としている。
更に、９は送信する写真のデータ取り込み方法を選択式としている。
【産業上の利用可能性】
【００１５】
図２及び図３では、道路標識調査の実例を示しているが、同様な特色を活かした道路照明灯及び道路反射鏡等の道路附属物への対応も可能となることや、橋梁及びトンネルなどの大規模施設の点検調査業務の効率化を図ることが出来る。
【符号の説明】
【００１６】
１  タブレット端末
２  サーバーパソコン
３  ＧＰＳによる位置情報（緯度・経度）の取得
４  標識種別（案内標識・警戒標識・規制標識・補助標識）の入力
５  上り・下り・中央（上り・下り・中央）の入力
６  文字色（白・青・黒・緑）の入力
７  地色（青・白・黄・緑）の入力
８  支柱形式（Ｆ型・逆Ｌ型・Ｔ型・門型・単柱式・複柱式・添加式・電光板・その他）の入力
９  写真（カメラ撮影及びファイル）の入力
【図１】
2019067324.tif 000003
【図２】
2019067324.tif 000004
【図３】
2019067324.tif 000005
(57)【要約】      （修正有）【課題】ワンタイムパスワードを入力する際の、ぬすみ見を防止する。【解決手段】銀行または証券会社内の銀行のホームページに接続する際のワンタイムパスワード入力において、画面表示の無いワンタイムパスワードの機械を用いる。ワンタイムパスワードの機械の出力送信ボタンを押すと、口座番号とワンタイムパスワードとが銀行のホームページに自動送信され、銀行のホームページでは、口座番号とパスワードの表示をすること無く、ホームページがひらかれる。【選択図】図１
2019067348.tif 000002
【特許請求の範囲】
【請求項１】
ワンタイムパスワードの機械で、画面表示のないもの。出力送信ボタンをおすことにより、自動的にホームページに記録ができる機械。
銀行用か、証券会社内の銀行のホームページに接続する
ホームページは、個人入力ではなく、自動入力用となる。
【発明の詳細な説明】
【技術分野】
【０００１】本発明は、銀行の暗唱ＮＯとして一般的に広まっているワンタイムパスワードを入力することなく自動送信にする機械です。
【背景技術】
【０００２】従来の銀行の一般的ワンタイムパスワードの機械は、番号を６０秒ごとに表示をかえることにより、盗難を防止するものである。
表示されたら６０秒以内に個人が入力しなくてはならない。
【発明の概要】
【発明が解決しようとする課題】
【０００３】盗難を防止するため、１回かぎりの暗唱番号になっているが、のぞき見があるなど、６０秒も同一暗唱番号だと本人以外の他人までその表示をぬすみ見により利用できてしまう。【０００４】本発明は、１回限りの暗証番号であるワンタイムパスワードであるままだが、表示画面がなく、口座番号とその１回限りの暗唱番号を出力送信ボタンを押すことによりパソコン、スマホ、タブレットの銀行ホームページに送信し、ホームページに入力することなくページを開くというものである。
【課題を解決するための手段】
【０００５】ワンタイムパスワードの機械を口座番号  暗唱番号を自動送信化し、画面表示をなくしたことにより、ぬすみ見ができない、他人の口座ＮＯを入力できないということができた。
【発明の効果】
【０００６】自動送信化しているので、本人確認が確実であり、他人の口座番号を打ちこんで他人の残高をみれたり、振込んだりはできない。
あくまで自動送信した口座番号の残高とその口座番号からの振込しかできない。よってぬすみ防止の効果がある。
【図１】
2019067348.tif 000003
【図２】
2019067348.tif 000004
【手続補正書】
【提出日】平成29年12月6日(2017.12.6)
【手続補正１】
【補正対象書類名】明細書
【補正対象項目名】全文
【補正方法】変更
【補正の内容】
【発明の詳細な説明】
【技術分野】
【０００１】本発明は、銀行の暗唱番号を扱う機械として一般的に広まっているワンタイムパスワードを入力することなく自動送信にする機械である。
【背景技術】
【０００２】従来の銀行のワンタイムパスワードの機械は、番号を６０秒ごとに表示をかえることにより、盗難を防止するものである。
表示されたら、６０秒以内に個人が入力しなくてはならない。
【発明の概要】
【発明が解決しようとする課題】
【０００３】盗難を防止するため、１回かぎりの暗唱番号になっているが、のぞき見がはやっているので、６０秒も同一の暗唱番号だと本人以外の他人まで、その表示を利用できてしまう。【０００４】本発明は、１回限りの暗唱番号であるワンタイムパスワードであるままだが、表示画面がなく、口座番号とその１回限りの暗唱番号を出力送信ボタンを押すことにより、パソコン、スマホ、タブレットの銀行のホームページに送信し、ホームページに入力することなく、銀行のネットバンクダイレクトのページを開くというものである。
【課題を解決するための手段】
【０００５】ワンタイムパスワードの機械を口座番号、暗唱番号を自動送信化し、パソコン、スマホ、タブレットの画面の数字の表示を○○○○にかえてなくすことにより、ぬすみ見して、他人のパスワードを入力することはできなくなる。
【発明の効果】
【０００６】自動送信化しているので、本人確認が確実であり、他人の口座番号を入力して他人の残高をみたり、勝手に振込みを行うことができない。
あくまで、自動送信した口座番号の残高とその口座番号からの振込しかできない。よってぬすみ見防止の効果がある。
【図面の簡単な説明】
【０００７】
【図１】本発明の実施形態を示す、ワンタイムパスワード自動送信機を前方からみた外観図
【図２】パソコン、スマホ、タブレットの銀行ネットバンクダイレクトのホームページはじめの画面、平面図
【発明を実施するための形態】
【０００８】以下、本発明の実施形態を図１、図２にもとづき説明する。
【０００９】図１は、ワンタイムパスワード自動送信機であり、１をパソコン、スマホ、タブレット側に向けて情報を２を押すことで送信する。
機械の表面に画面はなく、数字が表示されることはない。
機械内部から１をとおして情報送信するだけである。それにより、パソコンスマホ、タブレットの銀行ネットバンクダイレクトの初画面を入力することなく開くことができる。
１は、送信の穴、２は出力送信ボタンである。
【００１０】図２は、パソコン  スマホ  タブレットの銀行のネットバンクダイレクトのホームページの初画面で、３により図１の送信機で受信した数字を○○○○というた形で表示する。４では、暗唱番号を数字ではなく、○○○○という形で表示する。図１の送信機で４も受信する。３は口座番号入力である。
一回図１の２ボタンを押すと図２の３、４両方に情報が伝達でき、手入力は、できない形となっている。
自動送信機で入力するということである。
(57)【要約】【課題】ペン型タブレットにおいて、操作の際に起こる微妙な手のぶれなどによって、誤操作になってしまうことを防ぐシステムを提供する【解決手段】ペンタブレットについているボタンまたはその他の操作により、入力時の横の動きを無効化する機能を付加することでクリックがドラッグ扱いになって誤操作になってしまうことを防ぐことが出来る。【選択図】図１
2019067376.tif 000002
【特許請求の範囲】
【請求項１】
ペンタブレットのペン型入力装置のボタンを押しながら入力操作をする又は、キー操作をしながら入力操作をすることで、ペン型入力装置の横滑りの動作を無効化出来るペンタブレット。
【選択図】図１
【発明の詳細な説明】
【技術分野】
【０００１】この発明はコンピューターの入力などに関するものである
【背景技術】
【０００２】ペンタブレットはコンピューターの入力装置として便利なものである。
【先行技術文献】
【０００３】
【発明の概要】
【発明が解決しようする課題】
【０００４】ペンタブレットはペン型の入力装置を平たいタブレットの上で操作することでパソコンの入力に利用される。
その操作方法には何通りかあり、ペンでタブレットの一部にタッチするクリックの操作。二回連続でタッチするダブルクリックの操作。ペン型入力装置でタブレットの一部に触れた状態でそのまま横に滑らせるドラッグの操作などである。
上記の中のクリックの操作をする場合、ペン型入力装置がタブレットに触れた時に絶対に横に滑らせてはならず、少しでも横に滑るとコンピューターはドラッグ操作として認識する。コンピューターの入力の作業内容によっては、連続で数カ所クリックする必要のある場合など、少しでも手が滑るとドラッグとして判断され，操作をやり直すと言う場合が多々ある。
本発明は以上のような欠点をなくすためになされたものである。
【課題を解決するための手段】
【０００５】ペン型入力装置についているボタン又はキー操作によって、ドラッグ操作をしても、横に動く操作を無効にする機能を設け、クリックとして認識させる。
【発明の効果】
【０００６】本発明は以上のような構成であることから、ペン型入力装置が手のわずかなぶれから、クリックであるはずの操作が、ドラッグ操作として誤認識されることを防ぐことが出来る。
従来、ペン型入力装置でクリックする場合、絶対に横に滑っては行けないので、かなり慎重にタブレットにタッチする必要があり、その操作時は入力作業が遅くなる事が多かった。
しかし、ペン型入力装置についているボタン又はキー操作に依って横滑り動作を無効かするので、作業速度を落とすこと無くストレスのない入力が可能になる。
【図面の簡単な説明】
【０００７】
【図１】ペンタブレットである。
【発明を実施するための形態】
以下、本発明を実施するための形態について説明する。
ペンタブレットのペン型入力装置についているボタンを押しながらクリック操作を行う。又はキー操作を併用しながらクリック操作を行った場合、ペン型入力装置が横に動く動作を無効化する機能をペンタブレットに設ける
【符号の説明】
【０００９】１  ペンタブレットである。
２  ペン型入力装置である。
【図１】
2019067376.tif 000003
(57)【要約】【課題】ブルートゥーススピーカーは一度ペアリングを行った機器間は自動的あるいは半自動的に接続されるものがある。宿泊施設等の複数台設置されるような施設では探索可能状態にあるブルートゥーススピーカーに対して施設を利用したことのある利用者の携帯機器は、意図しない客室のブルートゥーススピーカーへ自動的に接続してしまうことがある。【解決手段】ペアリングで使用するパスコードをランダムに生成し適時更新することで誤った接続を防止する。【選択図】図１
2019205148.tif 000002
【特許請求の範囲】
【請求項１】
Ｂｌｕｅｔｏｏｔｈモジュールを使用したブルートゥーススピーカーにおいて、内蔵するＣＰＵで該Ｂｌｕｅｔｏｏｔｈモジュールのパスコードをランダムに生成させ設定できることを特徴とする。
【請求項２】
請求項１のブルートゥーススピーカーにおいて、設定したパスコードと名称（ＢＴ−ＮＡＭＥ）の表示手段を有することを特徴とする。
【発明の詳細な説明】
【技術分野】
【０００１】  本発明は、宿泊施設等で利用者が自身のスマートホン端末やタブレット端末等の携帯機器に保存されたデジタル音楽コンテンツを再生する、当該施設に設置されるブルートゥーススピーカーに関すものである。
【背景技術】
【０００２】  スマートホン端末やタブレット端末などの携帯機器でテジタル音楽コンテンツを保存し再生できるオーディオプレーヤー機能を備えているものが普及しており、利用者は音楽を気軽に楽しむことが出来る。【０００３】  近年では、携帯機器からＢｌｕｅｔｏｏｔｈ（近距離無線通信規格）を用いてワイヤレスで外部機器に接続するような機能も搭載しており、従来の配線等の煩わしさを気にすることなく外部スピーカー等で再生することが出来る。【０００４】  公共の場においてはイヤホンやヘッドホンを使用することになるが、個人的な空間などではスピーカーで再生をするほうがＢＧＭ効果も得られよりリラックスできるため、宿泊施設等でもサービス提供の一つとしてブルートゥーススピーカーを設置するところが増えている。
【発明の概要】
【発明が解決しようとする課題】
【０００５】  一般的なブルートゥーススピーカーではスマートホン端末やタブレット端末等の携帯機器等の機器を接続するには、ペアリングと呼ばれる操作が必要になる。
ペアリングでは携帯機器側から「探索（発見）」を行い、具体的には探索可能状態にある周囲のＢｌｕｅｔｏｏｔｈ機器の一覧が提示されるので、その中からブルートゥーススピーカーを指定する。【０００６】  指定するだけで自動的に接続されるものもあるが、一般的なブルートゥーススピーカーでは「００００」「１２３４」「９９９９」等の固定の４桁コードがパスコードとして実装されているので、それらを携帯機器に入力して接続するＰａｓｓｋｅｙＥｎｔｒｙ方式を採用している。【０００７】  しかし、一度ペアリングを行った機器間は自動的あるいは半自動的に接続が確立され、パスキーの入力が不要になるものがある。
そのため、宿泊施設等のようにブルートゥーススピーカーが複数台設置されるような場合、過去に接続したことのある携帯機器は意図しない客室のブルートゥーススピーカーへ自動的に接続してしまうことがある。【０００８】  また、半自動的に接続が確立される携帯機器では簡単な操作で接続が可能なため悪意を持って接続することも可能になる。【０００９】  誤った接続に気づかず携帯機器を操作した場合、接続された客室では予期しない音声が再生されるため、ブルートゥーススピーカーの接続方法に関しては問題点があった。【００１０】  本発明は、この点に鑑みてなされたものであり、一度ペアリングを行った機器であっても自動的あるいは半自動的に接続が確立されることを防止した、宿泊施設等で使用されるブルートゥーススピーカーを提供しようとするものである。
【課題を解決するための手段】
【００１１】  本発明では、パスコードをランダム生成してＢｌｕｅｔｏｏｔｈモジュールに設定するＣＰＵと生成したパスコードを表示するＬＣＤとパスコード発生のタイミングを測るＲＴＣ（ＲｅａｌＴｉｍｅ−ｃｌｏｃｋ）とパスコード設定が可能なＢｌｕｅｔｏｏｔｈモジュールと該Ｂｌｕｅｔｏｏｔｈモジュールから出力される音声信号を増幅するオーディオアンプで構成される。
【発明の効果】
【００１２】  このような構成とすれば、一度ペアリングを行った機器間であってもパスコードを更新することができるため、誤った接続を防止することができる。
【図面の簡単な説明】
【００１３】
【図１】本発明によるブルートゥースピーカーの機能を示すブロック図である。
【実施例】
【００１４】  以下、本発明の一実施例を図１に付いて説明する。
本発明のブルートゥーススピーカー１はＢｌｕｅｔｏｏｔｈモジュール２とオーディオアンプ６とＣＰＵ３とＬＣＤ４とＲＴＣ５とスピーカー８と電源１０からなる。【００１５】  Ａ２ＤＰおよびＡＶＲＣＰを有するＢｌｕｅｔｏｏｔｈモジュール２はオーディオアンプ６と接続され、オーディオアンプ６はスピーカー８を駆動するに必要な電力に増幅する。【００１６】  ＣＰＵ３は４桁の数字をランダムに生成するソフトウェアを実装しており、生成した４桁の数字をパスコードとして、探索時に表示される名称（ＢＴ−ＮＡＭＥ）と合わせてＢｌｕｅｔｏｏｔｈモジュール２に設定する。
ＬＣＤ４には、名称と生成した４桁のパスコードと音量等の情報が表示され、利用者はペアリングの際ＬＣＤ４に表示された名称を指定してパスコードを携帯機器へ入力する。【００１７】  ＲＴＣ５は時計機能有しており、ＣＰＵ３は時刻情報を取得しパスコード更新のタイミングを測ることが可能で、電池７はＲＴＣ５のバックアップ用電源である。【００１８】  パスコードの更新タイミングはＲＴＣ５に指定された時間で行っても良いし、チェックイン信号を入力することで行ってもよい。
また、省エネスイッチ（在室中に電源が入るスイッチ）から供給されるＡＣコンセントであればＡＣプラグ１１から供給される電源に同期して行ってもよい。
これらの選択はソフトウエアで設定しても良いし、スイッチ等を設けハードウエア的に行ってもよい。【００１９】  本発明は以上説明したように構成されたブルートゥーススピーカーであるから、パスコードを適時更新することによって問題点である誤った客室のブルートゥーススピーカーへの接続を防止することができるため、施設は安心してサービスを提供できる。
【符号の説明】
【００２０】１      ブルートゥーススピーカー
２      Ｂｌｕｅｔｏｏｔｈモジュール
３      ＣＰＵ
４      ＬＣＤ
５      ＲＴＣ
６      オーディオアンプ
７      電池
８      スピーカー
９      チェックイン信号入力端子
１０    電源
１１    ＡＣプラグ
【図１】
2019205148.tif 000003
(57)【要約】      （修正有）【課題】スパーギヤ、ピニオンギヤの直径を小さくしてモジュールを大きくする。入出力部を回動させる。モーターをシャーシのどの位置にでも設置できるようにする。最小回転半径を小さくする。ロワアームとアッパーアームを前後に動かないようにする。スプリングを細いものにする。ベルトを１本にする。以上を解決したＵ４ＷＲラジコンカーを提供する。【解決手段】シャーシ９の一端にリングスパーギヤ１と回動できる入出力部２を設ける。ギヤ３はモジュール１とした。ギヤ３はピニオンギヤとスパーギヤである。ギヤは、直径が２６ｍｍ以下のギヤ３を設けた。シャーシ９の一端にサーボ、Ｌ型部品、連結部品、車輪を設ける。シャーシ９の一端にロワアーム、アッパーアーム、スタビライザー、と細いスプリング、を設けた、Ｕ４ＷＲラジコンカーを特徴とする。【選択図】図２
2019205813.tif 000002
【特許請求の範囲】
【請求項１】
シャーシ（９）の一端にリングスパーギア（１）とモジュール１以上直径２６ｍｍ以下のギヤ（３）と入出力部（４）を上下に回動する構造を特徴とする、Ｕ４ＷＲラジコンカー。
【請求項２】
シャーシ（９）の一端にサーボ（５）Ｌ型部品（６）連結部品（７）車輪（８）を設けた４輪操舵の構造を特徴とする、Ｕ４ＷＲラジコンカー。
【請求項３】
シャーシー（９）の一端にロワアーム（１０）アッパーアーム（１１）スタビライザー（１２）と１０ｍｍ以下の細いスプリング（１３）を設けた構造を特徴とする、Ｕ４ＷＲラジコンカー。
【発明の詳細な説明】
【技術分野】
【０００１】  この発明は、シャーシ（９）の一端にリングスパーギヤ（１）と入出力部（２）ギヤ（３）モーター（４）を設ける。シャーシ（９）の一端にサーボ（５）、Ｌ型部品（６）連結部品（７）車輪（８）を設ける。シャーシ（９）の一端にロワアーム（１０）、アッパーアーム（１１）スタビライザー（１２）、スプリング（１３）を設けたＵ４ＷＲラジコンカーに関するものである。
【背景技術】
【０００２】  従来、リングスパーギヤはなかった。ギヤのモジュールが小さく、スパーギヤの直径が大きかった。最小回転半径が大きかった。スプリングの直径が太いものがついていた。スタビライザーがついていないものがあった。
【先行技術文献】
【０００３】
【特許文献１】
【非特許文献１】
【発明の概要】
【発明が解決しようとする課題】
【０００４】これは、次のような欠点があった。
（イ）ギヤのモジュールが小さいと歯欠けしやすくギヤとギヤの組立てが難しい。スパーギアの直径が大きいと他の部品の妨げになる。
（ロ）最小回転半径が大きいと狭い場所で走行しにくい。
（ハ）スプリングが太いと他の部品の妨げになる。
（ニ）ロワアームとアッパーアームが、前後に動く場合がある。
（ホ）ベルト駆動の場合ベルトが２〜３本必要である。
（ヘ）プロペラシャフトの上下位置を自由に出来ない。
本発明は、以上のような欠点をなくすためになされたものである。
【課題を解決するための手段】
【０００５】  シャーシ（９）の一端にリングスパーギア（１）と上下に回動出来る入出力部（２）を設ける。ギヤ（３）はモジュール（１）と直径２６ｍｍ以下のギヤを設ける。モーター（４）を設ける。シャーシー（９）の一端にサーボ（５）Ｌ型部品（６）連結部品（７）車輪（８）を設ける。シャーシ（９）の一端にロワアーム（１０）とアッパーアーム（１１）スタビライザー（１２）と直径１ｃｍ以下の細いスプリング（１３）を設ける。
本発明は、以上の構成よりなるＵ４ＷＲラジコンカーである。
【発明の効果】
【０００６】（イ）ギヤ（３）をモジュール１にすると歯欠けしにくい。スパーギヤは小さくしたので他部品の妨げにならない。ギヤとギヤの組立てが容易である。
（ロ）入出力部（２）を回動する事によりプロペラシャフトの位置を自由に出来る。モーター（４）をシャーシー（９）のどの位置にでも設置できる。
（ハ）４輪操舵により小回り出来る。
（ニ）スタビライザー（１２）によりロワアーム（１０）とアッパーアーム（１１）は前後に動かない。
（ホ）入出力部（２）を上向きにしてプーリーを設けベルトを横がけにするとベルト１本でよい。
【図面の簡単な説明】
【０００７】
【図１】本発明の平面図である。
【図２】本発明の側面図である。
【図３】本発明の平面図である。
【図４】本発明の平面図である。
【図５】本発明の平面図である。
【発明を実地するための形態】
【０００８】  以下本発明を実施するため最良の形態について説明する。
シャーシ（９）の一端にリングスパーギア（１）と上下に回動出来る入出力部（２）を設ける。ギヤ（３）はモジュール（１）と直径２６ｍｍ以下のギヤを設ける。モーター（４）を設ける。シャーシー（９）の一端にサーボ（５）Ｌ型部品（６）連結部品（７）車輪（８）を設ける。シャーシ（９）の一端にロワアーム（１０）とアッパーアーム（１１）スタビライザー（１２）と直径１ｃｍ以下の細いスプリング（１３）を設ける。
本発明は、以上のような構造である。
これを使用するときは、電気によりモーター（４）を回転させサーボ（５）を作動させる。サーボ（５）に設けたＬ型部品（６）を左又は右に回転させると車輪（８）は逆の右又は左向きになる。
【符号の説明】
【０００９】  １  リングスパーギヤ
２  入出力部
３  ギヤ
４  モーター
５  サーボ
６  Ｌ型部品
７  連結部品
８  車輪
９  シャーシ
１０  ロワアーム
１１  アッパーアーム
１２  スタビライザー
１３  スプリング
【図１】
2019205813.tif 000003
【図２】
2019205813.tif 000004
【図３】
2019205813.tif 000005
【図４】
2019205813.tif 000006
【図５】
2019205813.tif 000007